(57)【特許請求の範囲】
【請求項１】
固定部材と可動部材を摺動可能に取り付ける位置調整装置において、
前記固定部材が、第１のねじ穴を有する固定部と、固定部に直交する方向に延びばね固定穴を有する可動部材支持部とを有しており、
前記可動部材が、前記可動部材支持部の表面を摺動する摺動部と、摺動面に直交する方向に設けたねじ受け部と、このねじ受け部に設けた第２のねじ穴と、前記摺動部に設けた長穴とを有しており、
前記固定部材に前記可動部材を摺動可能に固定するばね部材と、
前記第１のねじ穴と第２のねじ穴に挿入する調整用ねじとを備え、
前記調整用ねじには、首下側に設けた第１のねじ部と先端側に設けた第２のねじ部を有しており、かつ、第１のねじ部は第２のねじ部より直径が大きく、第１のねじ部と第２のねじ部が互いに異なる回転方向のねじを設けており、
前記第１のねじ穴には前記第１のねじ部に対応する回転方向の雌ねじを、前記第２のねじ穴には前記第２のねじ部に対応する回転方向の雌ねじを設け、第１のねじ穴は第２のねじ穴より大きくされている
ことを特徴とする位置調整装置。
【請求項２】
前記第１のねじ部および第１のねじ穴が左ねじであり、前記第２のねじ部および第２のねじ穴が右ねじである
ことを特徴とする請求項１に記載の位置調整装置。
【請求項３】
組立用継鉄と調整用金属環を摺動可能に取り付ける位置調整装置を備えた電力量計において、
前記組立用継鉄が、第１のねじ穴を有する固定部と、固定部に直交する方向に延びばね固定穴を有する可動部材支持部とを有しており、
前記調整用金属環が、前記可動部材支持部の表面を摺動する摺動部と、摺動面に直交する方向に設けたねじ受け部と、このねじ受け部に設けた第２のねじ穴と、前記摺動部に設けた長穴とを有しており、
前記組立用継鉄に前記調整用金属環を摺動可能に固定するばね部材と、
前記第１のねじ穴と第２のねじ穴に挿入する調整用ねじとを備え、
前記調整用ねじには、首下側に設けた第１のねじ部と先端側に設けた第２のねじ部を有しており、かつ、第１のねじ部は第２のねじ部より直径が大きく、第１のねじ部と第２のねじ部が互いに異なる回転方向のねじを設けており、
前記第１のねじ穴には前記第１のねじ部に対応する回転方向の雌ねじを、前記第２のねじ穴には前記第２のねじ部に対応する回転方向の雌ねじを設け、第１のねじ穴は第２のねじ穴より大きくされており、
前記組立用継鉄が電力量計の電圧コイルの鉄心に固定され、前記調整用金属環が電力量計の前記電圧コイルの鉄心と回転円板との間に位置する
ことを特徴とする位置調整装置を備えた電力量計。
【発明の詳細な説明】
【技術分野】
【０００１】
本発明は、誘導型電力量計や誘導型計器など各種装置・機器・設備などにおける２つの部材の相対位置の機械式調整構造に関する。
【背景技術】
【０００２】
例えば、電力量計においては、電圧コイルの電圧鉄心と電流コイルの電流鉄心を微小な間隙を保持して対向させ、この間に回転円板を設けている。電圧コイルの電圧鉄心からの磁束を、回転円板を経由した適切な磁束として形成させるために、電圧鉄心の回転円板に対向する面に中央に開口を有する調整用金属環を設け、この調整用金属環の位置を調整することによって、電圧コイルに生じた磁束を、回転円板を経由した磁束として調整し形成することが行われている。
【０００３】
例えば、電圧磁束と電流磁束によってアルミニウムの回転円板に回転トルクが与えられる誘導型電力量計では、定格電流付近での誤差をゼロに近づけるため、回転円板に制動磁石の磁束により制動トルクを与えその制動磁束の量を適宜に調整する重負荷調整装置を設けている。制動磁束の量を変化させる機構としては、制動磁石の位置を移動するものではなく、磁気分岐路のための調節片を移動することが行われる。
【０００４】
このような重負荷調整装置の構造を、図７を用いて説明する。電力量計の重負荷調整装置は、コ字型のマグネットヨーク５と、マグネットヨーク５の一辺部内側に接着固定された制動磁石５２と、制動磁石５２に接着固定された整磁鋼５３と、マグネットヨーク５の一辺部内側に制動磁石５２のスライド面５２１と所定間隔をおいて一体に形成された凸部５１と、この凸部５１に形成された固定溝５１１と、制動磁石５２のスライド面５２１に密着するスライド部５４１の両端部をコ字型に折り曲げた調整金具５４と、調整金具５４の一端部に形成されているねじ穴５４２にねじ込まれ、調整金具５４の他端部５４３に回転自在および軸方向に変位自在に支持され、中間部には固定溝５１１に嵌合する中間溝部５５１を有する調整ねじ５５とを備えて構成される。調整金具５４を支持したねじ５５の中間部溝５５１をマグネットヨーク５に設けた凸部５１の固定溝５１１に、スライド部５４１がスライド面５２１に密着するように嵌合させた後、ねじ５５を回転させて調整金具５４を制動磁石５２のスライド面５２１に沿って変位させて回転円板に与える制動磁束の量を変化調整している（例えば、特許文献１参照）。
【０００５】
このように、調整片を変位させて磁束を適正に調整する機構としては、このほかに、Ｌ型に折曲された片面にラックが形成された軽負荷調整板が電圧鉄心の磁極に移動自在に添設され、前記ラック部にウォーム部が嵌合する調整捧が電圧鉄心固定部に係止された誘導型電力量計の軽負荷調整装置において、前記固定片の片側に調整捧を係止するＵ字型の開口部を設ける構造（例えば、特許文献２参照）、Ｅ字型の電圧磁石部を構成する磁気コアを有し、磁気コアの中央脚に巻かれた電圧コイルを備えた誘導型計器において、磁気コアに磁気的に近接して設けられ主磁極面と補助極面との間に調節可能な磁束分路を形成する装置と、磁気コアの第２の側面から延びた力率ブラケットと、力率ブラケットにより支持され前記主磁極面と反対側に円板がその中で回転する間隙を介して配置される構造（例えば、特許文献３参照）、などが提案されている。
【０００６】
これらの提案に代わる従来の電力量計の機械式位置調整装置を、図５を用いて説明する。従来の機械式位置調整装置は、組立用継鉄１に固定用ばね３によって摩擦保持力を持って摺動可能に取付けた調整用金属環２と、その摩擦保持力に打勝って摺動させるための調整用ねじ４から成る。組立用継鉄１は、縦方向に延びる長片状の固定部１１と、固定部１１の縦方向と直交する方向に延びる可動部材摺動支持部１２と、固定部１１に設けた小穴１５と、可動部材摺動支持部１２に設けた固定用ばね３の脚部を挿入して固定する２個の縦方向に延びる穴（図示を省略）を有している。調整用金属環２は、端部を立ち上げた摺動部２２と、摺動部２２の両端部を固定部１１に平行となるように折り曲げたねじ受け部２３と、ねじ受け部２３に設けた雌ねじ２４と、可動部材摺動支持部１２に可動部材２を摺動可能に固定する摺動長穴２５を有している。
【０００７】
調整用ねじ４には、先端方向の約半分にねじ部４５を設け、首下部分４３の直径は先端部分のねじ部４５直径より大きく、しかもねじを施していない。さらに首下部分４３の先端から組立用継鉄１の厚さとほぼ同一の幅を隔てて鉢巻状の溝４４を設ける。組立用継鉄１には調整用ねじ４のねじ部４５の直径とほぼ同一の小穴１５を設ける。組立手順は、調整用ねじ４をこの小穴１５に挿入し、調整用ねじ４の先端が調整用金属環２に設けた雌ねじ２４に達した後、調整用ねじ４を右回転させて調整用金属環２に設けた雌ねじ部２４とねじ嵌勘合する。調整用ねじ４をさらに回転して、調整用ねじの鉢巻状の溝４４が組立用継鉄１から出た後、抜け止め用金具５を鉢巻状の溝４４に嵌合して組立用継鉄１に回転可能に固定する。
【０００８】
これにより、調整用ねじ４を回転すると、調整用金属環２が摺動する。
【０００９】
また、図６に示す別の方法では、調整用ねじ４の先端方向約半分にねじ部４５を設け、首下部分にはほぼ組立用継鉄１の厚さの幅を持つ鉢巻状の溝４６を設ける。一方、組立用継鉄１には、調整用ねじ４の直径とほぼ同じ大きさの大穴１６１と調整用ねじ溝部４６の直径とほぼ同じ大きさの小穴１６２を連結したダルマ状の穴１６を設ける。
【００１０】
位置調整装置の組立方法は、まず、調整用ねじ４を組立用継鉄１に設けたダルマ状の穴１６の大穴１６１に挿入し、調整用金属環２に設けた雌ねじ部２４とねじ嵌合させる。次に、調整用ねじ４の鉢巻状の溝部分４６を組立用継鉄２のダルマ状の穴１６の小さい方の穴１６２に回転可能に嵌合させて、調整用ねじ４の軸方向への動きを抑制する。さらに、調整用金属環２を組立用継鉄１に固定用ばね３で摺動可能に固定する。
【００１１】
上記の位置調整装置を組立てる際に、次の欠点がある。
ア．図５の組立用継鉄１に調整用ねじ４を固定する時に使用する抜け止め用金具５は、非常に小形部品であるため、取扱いが難しく、作業に熟練を要しまた時間も要している。また、この固定方法では、調整用ねじ４の回転力が不規則で調整作業に熟練を要する。
イ．図５の位置調整装置を自動で組立てる場合、抜け止め用金具５を取付けるには、高精度で高機能の高価な組立装置が必要となる。
ウ．調整用ねじ４には、鉢巻状の溝４４が必要で、ねじ製作上では加工工数の増加となり費用が増加する。
エ．図６の調整用ねじ４の鉢巻状の溝４６を組立用継鉄鉄１の小穴１６２に嵌合して軸方向の動きを止める方法では、調整用金属環２の位置が定まらない状態で調整用ねじ４とねじ嵌合しなければならず、自動組立を困難とする要因となっている。
オ．図６の調整用ねじ４の鉢巻状の溝４６の幅は、組立用継鉄１の板厚寸法より大きくなっており、調整を行うときに、調整用ねじ４が回転しても調整用金属環２が摺動しない場合が存在し、調整作業が不安定である。
【００１２】
すなわち、上記した位置調整装置では、調整用金属環を調整のために移動する力の支点となる調整用ねじの保持方法が、従来は抜け止め用金具を使用したり、組立用継鉄に設けたダルマ状の穴を利用する方法のため、調整用ねじを固定する支点の位置が不安定であったり、調整用ねじを回転する力が不規則であったりした。
【特許文献１】特開平８−１２２３６５号公報
【特許文献２】特開平４−１８４１７２号公報
【特許文献３】特開昭５８−２６７２号公報
【発明の開示】
【発明が解決しようとする課題】
【００１３】
本発明は、上記問題を解決するもので、何らかの調整目的をもった部品を、調整のために、調整用ねじにより相互の位置変更を行う位置調整装置を提供することを目的とする。
【００１４】
さらに、本発明は、調整用部品が装置筐体に、摩擦による保持力を有し摺動可能に取付けられている位置調整装置において、構造が簡単で正確な調整を可能とすることを目的とする。
【００１５】
本発明は、調整用ねじの回転のみで組み込みができ、抜け止め用金具が不要で、自動組込みが簡単で安価な設備で実現できる位置調整装置を提供することを目的とする。
【００１６】
本発明では、調整用ねじの動作上の支点の位置が安定し、調整用ねじの回転が滑らかとなり、調整作業が容易で、調整作業時間を短縮し、調整の精度も向上させることができる位置調整装置を提供することを目的とする。
【００１７】
さらに、本発明は、上記の目的を達成できる電力量計を提供することを目的とする。
【課題を解決するための手段】
【００１８】
上記課題を解決するために、本発明は、固定部材と可動部材を摺動可能に取り付ける位置調整装置において、前記固定部材が、第１のねじ穴を有する固定部と、固定部に直交する方向に延びばね固定穴を有する可動部材支持部とを有しており、前記可動部材が、前記可動部材支持部の表面を摺動する摺動部と、摺動面に直交する方向に設けたねじ受け部と、このねじ受け部に設けた第２のねじ穴と、前記摺動部に設けた長穴とを有しており、前記固定部材に前記可動部材を摺動可能に固定するばね部材と、前記第１のねじ穴と第２のねじ穴に挿入する調整用ねじとを備え、前記調整用ねじには、首下側に設けた第１のねじ部と先端側に設けた第２のねじ部を有しており、かつ、第１のねじ部は第２のねじ部より直径が大きく、第１のねじ部と第２のねじ部が互いに異なる回転方向のねじを設けており、
前記第１のねじ穴には前記第１のねじ部に対応する回転方向の雌ねじを、前記第２のねじ穴には前記第２のねじ部に対応する回転方向の雌ねじを設け、第１のねじ穴は第２のねじ穴より大きくされている。
【００１９】
本発明は、上記位置調整装置において、前記第１のねじ部および第１のねじ穴が左ねじとし、前記第２のねじ部および第２のねじ穴が右ねじとした。
【００２０】
本発明は、組立用継鉄と調整用金属環を摺動可能に取り付ける位置調整装置を備えた電力量計において、前記組立用継鉄が、第１のねじ穴を有する固定部と、固定部に直交する方向に延びばね固定穴を有する可動部材支持部とを有しており、前記調整用金属環が、前記可動部材支持部の表面を摺動する摺動部と、摺動面に直交する方向に設けたねじ受け部と、このねじ受け部に設けた第２のねじ穴と、前記摺動部に設けた長穴とを有しており、前記組立用継鉄に前記調整用金属環を摺動可能に固定するばね部材と、前記第１のねじ穴と第２のねじ穴に挿入する調整用ねじとを備え、前記調整用ねじには、首下側に設けた第１のねじ部と先端側に設けた第２のねじ部を有しており、かつ、第１のねじ部は第２のねじ部より直径が大きく、第１のねじ部と第２のねじ部が互いに異なる回転方向のねじを設けており、前記第１のねじ穴には前記第１のねじ部に対応する回転方向の雌ねじを、前記第２のねじ穴には前記第２のねじ部に対応する回転方向の雌ねじを設け、第１のねじ穴は第２のねじ穴より大きくされており、前記組立用継鉄が電力量計の電圧コイルの鉄心に固定され、前記調整用金属環が電力量計の前記電圧コイルの鉄心と回転円板との間に位置させる。
【発明の効果】
【００２１】
従来の調整用ねじの組込み方法が、調整ねじを固定するため、抜け止め用金具を必要とし、しかもその部品が小形で僅かな隙間にはめ込まなければならないため、作業者の熟練が必要で、更に自動組込みをする為には、より高機能で高精度を有する高価な設備が必要であった。それに対して、本発明では、調整用ねじの回転（右と左）のみで組み込みができるため、抜け止め用金具が不要となり、自動組込みは簡単で安価な設備で実現できる。
【００２２】
調整用金属環を調整のために移動する力の支点となる調整用ねじの保持方法が、従来は抜け止め用金具を使用したり、組立用継鉄に設けたダルマ状の穴を利用する方法のため、調整用ねじを固定する支点の位置が不安定であったり、調整用ねじを回転する力が不規則であったりした。それに対して、本発明では、調整用ねじの動作上の支点を、組立用継鉄に設けた雌ねじとし、調整用ねじとのねじ嵌合としたため、支点の位置が安定し調整用ねじの回転が滑らかとなり、調整作業が容易で、調整作業時間が短縮し調整の精度も向上する。
【発明を実施するための最良の形態】
【００２３】
本発明にかかる位置調整装置を、機械式電力量計の位置調整装置に実施した場合の、組立構造について、図１〜図４を用いて説明する。図１は機械式電力量計の位置調整装置の構造を説明する斜視図であり、図２はその分解斜視図、図３はその調節工程の初期状態を説明する図、図４はその調節後の状態を説明する図である。
【００２４】
図１および図２に示すように、電力量計に使用する位置調整装置は、継鉄として働く固定部材１と、調整用金属環として働く可動部材２と、稼動部材２を固定部1に摺動可能に取り付ける固定用ばね３と、可動部材２の位置を調整する調整用ねじ４とを有して構成される。電力計に使用する位置調整装置においては、固定部材１は、電力量計の電圧コイルが巻かれるコアを構成する鉄心に固定させる組立用継鉄であり、可動部材２は磁束を調整する部材である前記電圧コイル用の鉄心と回転円板との間に位置する調整用金属環２である。固定部材１は、縦方向に延びる長片状の固定部１１と、固定部１１の縦方向と直交する方向に延びる可動部材摺動支持部１２と、固定部１１に設けた第１の径の左雌ねじ穴１３と、可動部材摺動支持部１２に設けた固定用ばね３の脚部が挿入される固定する２個の縦方向に延びるばね固定穴１４を有している。
【００２５】
可動部材２は、位置が調整される可動部材本体２１と、可動部材摺動支持部１２の表面を摺動する摺動部２２と、摺動方向に直交するように折り曲げられたねじ受け部２３と、ねじ受け部２３に設けた第２の径の右雌ねじ穴２４と、可動部材摺動支持部１２に可動部材２を摺動可能に固定する摺動長穴２５を有している。
【００２６】
固定用ばね３は、ばね材から構成され、両端に折り曲げて設けたばね脚部３１と、ばねを固定するばね脚部３１の先端を折り返して設けた折返し部（係止部）３２とを有している。
【００２７】
調整用ねじ４は、ねじの首下側に設けた第１の径を有する左ねじ部４１と、先端側に設けた第２の径を有する右ねじ部４２とを有している。左ねじ部４１の径は固定部材１に設けた左雌ねじ穴１３と、右ねじ部４２の径はねじ受け部２３に設けた右雌ねじ穴２４と、それぞれ同じ径を有している。左ねじ部４１の径は、右ねじ部４２の径より大きく形成される。左ねじ部４１は左雌ねじ穴１３と嵌合し、右ねじ部４２は右雌ねじ穴２４と嵌合する。左ねじ部４１と右ねじ部４２のピッチは同じピッチに形成されてよい。
【００２８】
図３および図４を用いて、本発明にかかる位置調整装置を組み立てる手順を説明する。まず、固定用ばね３の脚部３１を摺動長穴２５を介して可動部材摺動支持部１２に設けたばね固定穴１４に挿入して、可動部材２を固定部材１に摩擦保持力を持って摺動可能に固定する。この状態で可動部材２に設けた右雌ねじ部２４の中心と、固定部材１に設けた左雌ねじ１３の中心は一致している。
【００２９】
次に、調整用ねじ４を固定部材１に設けた左雌ねじ穴１３から挿入する。このときは、固定部材１の左雌ねじ１３の直径は調整用ねじ４先端側に設けた右雌ねじ部４２の直径より大きいため、ねじ嵌合しない。さらに調整用ねじ４を挿入し、先端部分が可動部材２に設けてある右雌ねじ部２４と、ねじ嵌合可能な位置に達した後、調整用ねじ４を右回転させて先端側ねじ部４２を右雌ねじ部２４にねじ嵌合させる。
【００３０】
さらに、調整用ねじ４の右回転を続けて調整用ねじ４の首下側の左ねじ部４１の先端が、固定部材１の左雌ねじ部１３と嵌合可能の位置に達するまで嵌合させ、可動部材２のねじ受け部２３を固定部材１の固定部１１側に引き寄せる（図３の状態）。
【００３１】
次に、調整用ねじ４を左回転させて調整用ねじ４の左ねじ部４１と固定部材１をねじ嵌合する。
【００３２】
調整用ねじ４の左回転により、固定部材１に対する調整用ねじ４の移動方向（図３、図４における右向き）と、調整用ねじ４に対する可動部材２の移動方向（図３、図４における右向き）が一致し、可動部材２が固定部１１から離れる方向に摺動して、固定部材１と可動部材２は任意の相互位置の関係に調整される（図４の状態）。
【００３３】
調整用ねじ４は固定部材１にねじ嵌合されているため、調整用ねじ４は位置が安定して保持され、固定部材１と可動部材２は摺動方向にのみ移動可能で他の方向は安定している。
【００３４】
以上のように、本発明では、調整用ねじ４を固定部材１に固定する方法として、調整用ねじ４には、先端方向の約半分に可動部材２の右雌ねじ部２４と同一直径の右ねじ部４２を設け、さらに、首下側約半分には、右ねじ４２の直径より大きな直径の、左ねじ部４１を設けている。また、固定部材１には、従来方法で設けた調整ねじを挿入する小穴の代わりに、調整用ねじ４の首下部分に設けた左ねじ部４１の直径と同一の左雌ねじ部１３を設けている。
【００３５】
この調整用ねじ４に設ける左ねじ部と右ねじ部の関係は、逆の関係、すなわち、首下側を右ねじ部とし先端側を左ねじ部としてもよい。この場合は、固定部材１のねじ穴１３を右雌ねじとし、可動部材のねじ穴２４を左雌ねじとする。
【００３６】
上記した本発明の実施例は、電力量計の電圧コイルの鉄心に設ける調整用金属環を例にとって説明したが、本発明は、何らかの調整目的をもった２つの部品を、調整用ねじによって相互の位置を変更するどのような装置にも用いることができる。例えば、本発明は、調整用部品が装置筐体に、摩擦による保持力を有し摺動可能に取付けられている場合には、特に構造が簡単で正確な調整が可能となる。
【図面の簡単な説明】
【００３７】
【図１】本発明にかかる位置調整装置の外観を説明する斜視図。
【図２】図１に示した位置調節装置の分解斜視図。
【図３】図１に示した位置調整装置の組立て手順を説明する図（その１）。
【図４】図１に示した位置調整装置の組立て手順を説明する図（その２）。
【図５】従来の位置調整装置の構成の例を説明する図。
【図６】従来の位置調整装置の構成の他の例を説明する図。
【図７】特許文献１に記載された位置調整装置の構成を説明する図。
【符号の説明】
【００３８】
１：固定部材（組立用継鉄）
１１：固定部
１２：可動部材摺動支持部
１３：左雌ねじ穴
１４：ばね固定穴
２：可動部材（調整用金属環）
２１：可動部材本体
２２：摺動部
２３：ねじ受け部
２４：右雌ねじ穴
３：固定用ばね
３１：ばね脚部
３２：折返し部（係止部）
４：調整用ねじ
４１：左ねじ部
４２：右ねじ部
５：マグネットヨーク
５１：凸部
５１１：調整溝
５２：制動磁石
５２１：スライド面
５３：整磁鋼
５４：調整金具
５４１：スライド部
５４２：ねじ穴
５４３：他端部
５５：ねじ
５５１：固定溝
【図１】
0005024790.tif 000002
【図２】
0005024790.tif 000003
【図３】
0005024790.tif 000004
【図４】
0005024790.tif 000005
【図５】
0005024790.tif 000006
【図６】
0005024790.tif 000007
【図７】
0005024790.tif 000008